(57)【要約】【課題】既存の赤外線通信自体の機能を拡張することなく、操作対象装置を操作した遠隔操作装置と、その具体的な操作内容とを特定することができる方法等を提供する。【解決手段】遠隔操作装置及び操作対象装置は各々、識別子を有する。また、システムは、履歴蓄積装置を更に有する。遠隔操作装置が、送信した操作信号に基づく操作内容及び送信時刻を、操作送信ログとして記録し、その操作送信ログを、履歴蓄積装置へ送信する。同様に、操作対象装置が、受信した操作信号に基づく操作内容及び受信時刻を、操作受信ログとして記録し、その操作受信ログを、履歴蓄積装置へ送信する。履歴蓄積装置は、操作送信ログと操作受信ログとを比較して対応付けることによって、その操作対象装置に対するその操作信号が、いずれの遠隔操作装置から送信されたかを特定する。【選択図】図２
2011061693.tif 000002
【特許請求の範囲】
【請求項１】
無線リンクを介して操作信号を送信する遠隔操作装置と、前記無線リンクを介して前記操作信号を受信し且つその内容に応じて動作が制御される操作対象装置とを有するシステムにおける操作履歴取得方法であって、
前記遠隔操作装置及び前記操作対象装置は各々、識別子を有し、
前記システムは、前記遠隔操作装置及び前記操作対象装置からネットワークを介して接続される履歴蓄積装置を更に有し、
前記遠隔操作装置が、送信した前記操作信号に基づく操作内容及び送信時刻を、操作送信ログとして記録するステップと、
前記操作対象装置が、受信した前記操作信号に基づく操作内容及び受信時刻を、操作受信ログとして記録するステップと、
前記遠隔操作装置が、当該遠隔操作装置の識別子を対応付けた前記操作送信ログを、前記履歴蓄積装置へ送信するステップと、
前記操作対象装置が、当該操作対象装置の識別子を対応付けた前記操作受信ログを、前記履歴蓄積装置へ送信するステップと、
前記履歴蓄積装置は、前記操作送信ログと前記操作受信ログとを比較して対応付けることによって、その操作対象装置に対するその操作信号が、いずれの遠隔操作装置から送信されたかを特定するステップと
を有することを特徴とする操作履歴取得方法。
【請求項２】
前記無線リンクは、指向性のある赤外線通信リンクであることを特徴とする請求項１に記載の操作履歴取得方法。
【請求項３】
前記ネットワークは、インターネットであり、
前記履歴蓄積装置は、前記インターネットに接続された履歴サーバであり、
前記操作対象装置は、テレビ装置であって、前記インターネットに接続するインタフェースポートを備えており、
前記遠隔操作装置は、携帯電話機であって、前記インターネットに携帯電話網を介して接続することができ、
前記携帯電話機は、前記赤外線通信リンク用の赤外線発光部を有する
ことを特徴とする請求項２に記載の操作履歴取得方法。
【請求項４】
前記ネットワークは、ホームネットワークであり、
前記履歴蓄積装置は、前記ホームネットワークに接続されたセットトップボックス若しくはルータ、又は、前記操作対象装置に組み込まれており、
前記操作対象装置は、テレビ装置であって、前記ホームネットワークに接続するインタフェースポートを備えており、
前記遠隔操作装置は、携帯電話機であって、前記ホームネットワークに無線を介して接続することができ、
前記携帯電話機は、前記赤外線通信リンク用の赤外線発光部を有する
ことを特徴とする請求項２に記載の操作履歴取得方法。
【請求項５】
前記履歴蓄積装置は、
前記操作内容が同一であって、且つ、前記送信時刻と前記受信時刻とが所定時間範囲となる操作送信ログ及び操作受信ログを検索し、
検索された操作送信ログ及び操作受信ログについて、編集距離（レーベンシュタイン距離）が最も小さい組み合わせを導出する
ことを特徴とする請求項１から４のいずれか１項に記載の操作履歴取得方法。
【請求項６】
無線リンクを介して操作信号を送信する遠隔操作装置と、前記無線リンクを介して前記操作信号を受信し且つその内容に応じて動作が制御される操作対象装置とを有する操作履歴取得システムであって、
前記遠隔操作装置及び前記操作対象装置は各々、識別子を有し、
前記システムは、前記遠隔操作装置及び前記操作対象装置からネットワークを介して接続される履歴蓄積装置を更に有し、
前記遠隔操作装置は、
前記無線リンクを確立する無線通信手段と、
送信した前記操作信号に基づく操作内容及び送信時刻を、操作送信ログとして記録する操作送信ログ記録手段と、
当該遠隔操作装置の識別子を対応付けた前記操作送信ログを、前記履歴蓄積装置へ送信する操作送信ログ送信手段と
を有し、
前記操作対象装置は、
前記無線リンクを確立する無線通信手段と、
受信した前記操作信号に基づく操作内容及び受信時刻を、操作受信ログとして記録する操作受信ログ記録手段と、
当該操作対象装置の識別子を対応付けた前記操作受信ログを、前記履歴蓄積装置へ送信する操作受信ログ送信手段と
を有し、
前記履歴蓄積装置は、
前記操作送信ログと前記操作受信ログとを比較して対応付けることによって、その操作対象装置に対するその操作信号が、いずれの遠隔操作装置から送信されたかを特定する操作履歴取得手段を
を有することを特徴とする操作履歴取得システム。
【請求項７】
前記遠隔操作装置の前記無線通信手段と、前記操作対象装置の前記無線通信手段とは、指向性のある赤外線通信手段であることを特徴とする請求項６に記載の操作履歴取得システム。
【請求項８】
前記ネットワークは、インターネットであり、
前記履歴蓄積装置は、前記インターネットに接続された履歴サーバであり、
前記操作対象装置は、テレビ装置であって、前記インターネットに接続するインタフェースポートを備えており、
前記遠隔操作装置は、携帯電話機であって、前記インターネットに携帯電話網を介して接続することができ、
前記携帯電話機は、前記赤外線通信リンク用の赤外線発光部を有する
ことを特徴とする請求項７に記載の操作履歴取得システム。
【請求項９】
前記ネットワークは、ホームネットワークであり、
前記履歴蓄積装置は、前記ホームネットワークに接続されたセットトップボックス若しくはルータ、又は、前記操作対象装置に組み込まれており、
前記操作対象装置は、テレビ装置であって、前記ホームネットワークに接続するインタフェースポートを備えており、
前記遠隔操作装置は、携帯電話機であって、前記ホームネットワークに無線を介して接続することができ、
前記携帯電話機は、前記赤外線通信リンク用の赤外線発光部を有する
ことを特徴とする請求項７に記載の操作履歴取得システム。
【請求項１０】
前記履歴蓄積装置の前記操作履歴取得手段は、
前記操作内容が同一であって、且つ、前記送信時刻と前記受信時刻とが所定時間範囲となる操作送信ログ及び操作受信ログを検索するログ絞り込み手段と、
検索された操作送信ログ及び操作受信ログについて、編集距離（レーベンシュタイン距離）が最も小さい組み合わせを導出するマッチング手段と
を有することを特徴とする請求項６から９のいずれか１項に記載の操作履歴取得システム。
【発明の詳細な説明】
【技術分野】
【０００１】
本発明は、遠隔操作装置から送信される操作信号によって、操作対象装置を操作する技術に関する。例えば、遠隔操作装置としてのリモコン(remote controller)装置から、操作対象装置となる電化機器を操作する技術に関する。
【背景技術】
【０００２】
リモコン装置は、ＡＶ(Audio Visual)機器（例えばテレビ装置）や電化機器（例えば照明装置）を、離れた位置から操作することができる。リモコン装置は、一般的に無線タイプであって、特に赤外線方式又は電波方式が用いられる（その他、超音波方式や可視光方式もある）。例えば、テレビ装置を操作するリモコン装置は、一般に赤外線方式が用いられる。リモコン装置は赤外線発光部を有し、テレビ装置は赤外線受光部を有する。
【０００３】
赤外線は、約７５０〜１,０００ｎｍの間の波長を有する。自然から放射された赤外線と、リモコン装置から発光された赤外線とを区別するために、リモコン装置は、キャリア周波数で変調した赤外線を送信する。キャリア周波数は、一般に、３８〜４０ｋＨｚ程度である。
【０００４】
図１は、従来技術におけるシステム構成図である。
【０００５】
図１によれば、遠隔操作装置１が、赤外線操作信号を送信し、操作対象装置２を操作している。遠隔操作装置１としてリモコン装置が表され、操作対象装置２としてテレビ装置及び照明装置が表されている。リモコン装置Ａ及びリモコン装置Ｂは、テレビ装置ａを操作可能な位置にある。また、リモコン装置Ｂ及びリモコン装置Ｃは、テレビ装置ｂ及び照明装置を操作可能な位置にある。
【０００６】
リモコン装置Ａは、テレビ装置ａへ、例えばチャネル切り替え（又は電源オン／オフ）の赤外線操作信号を送信している。同様に、リモコン装置Ｂも、テレビ装置ａ及びテレビ装置ｂへ、赤外線操作信号を送信している。テレビ装置ａ及びテレビ装置ｂは、受信された操作信号に応じた動作をする。また、リモコン装置Ｃは、照明装置２へ、例えば明るさの調整（又は電源オン／オフ）の赤外線操作信号を送信する。照明装置２は、受信された操作信号に応じた動作をする。
【０００７】
ここで、操作対象装置２は、リモコン装置１から赤外線操作信号を受信することができるが、その赤外線操作信号を送信したリモコン装置を区別することまではできない。具体的には、テレビ装置ａが、受信した赤外線操作信号が、リモコン装置Ａ又はリモコン装置Ｂのどちらから送信されたものかを区別できない。
【０００８】
これに対し、リモコン装置が、そのリモコンを所持するユーザの個人情報と、その操作毎に割り当てられた操作識別番号とを、テレビ装置へ送信する技術がある（例えば特許文献１参照）。テレビ装置は、受信した個人情報及び操作識別番号と共に、テレビ装置の状態情報をサーバへ送信する。サーバは、受信した個人情報、操作識別番号及び状態情報を、操作履歴としてデータベースに登録する。これにより、テレビ装置は、サーバのデータベースを用いて、その操作信号を送信したリモコン装置を認識することができる。
【０００９】
尚、リモコン装置が、テレビ装置を操作する操作履歴を取得することによって、そのリモコン装置を所持するユーザの行動特性を分析する技術もある（例えば特許文献２参照）。
【先行技術文献】
【特許文献】
【００１０】
【特許文献１】特開２００５−１５１０９８号公報
【特許文献２】特開２００９−１１６５５２号公報
【発明の概要】
【発明が解決しようとする課題】
【００１１】
しかしながら、特許文献１に記載された技術によれば、テレビ装置における操作信号の受信履歴（視聴履歴）のみが取得される。赤外線通信機能を有するリモコン装置は、一般に、３２ビットの赤外線信号を送信する。３２ビットの赤外線信号は、製造元を表す１６ビットのカスタムコードと、操作内容を表す１６ビットのデータコードからなる。ここで、ユーザの個人情報、操作識別番号及びテレビ装置の状態情報のような情報を、更に赤外線信号に含める場合、リモコン装置及びテレビ装置は、それぞれ独自の赤外線規格を実装する必要がある。従って、赤外線通信による操作履歴の把握には、開発コストの増大及び汎用性の低下という問題が生じる。
【００１２】
逆に、特許文献２に記載された技術によれば、リモコン装置における操作信号の送信履歴のみが取得される。この場合、１つのリモコン装置が、複数の操作対象装置を操作する場合、どの操作対象装置に対する操作信号なのかを、ユーザ自らがそのモードを明示的に指定する必要がある。
【００１３】
また、リモコン装置における操作履歴のみでは、具体的な操作内容を取得することができない。リモコン装置の操作キーに対してユーザが押下した場合であっても、その操作内容は、リモコン装置では理解できない場合がある。例えば、その操作キーが「決定キー」「上・下・右・左シフトキー」である場合、リモコン装置は、テレビ装置における操作内容を理解できない。即ち、テレビ装置における操作内容は、テレビ装置の内部状態及び画面状態に依存する。更に、リモコン装置は、操作信号を送信したものの、操作対象装置に受信されなかったために、取得した操作履歴のとおり操作されていない場合もある。
【００１４】
そこで、本発明は、既存の赤外線通信自体の機能を拡張することなく、操作対象装置を操作した遠隔操作装置と、その具体的な操作内容とを特定することができる方法及びシステムを提供することを目的とする。
【課題を解決するための手段】
【００１５】
本発明によれば、無線リンクを介して操作信号を送信する遠隔操作装置と、無線リンクを介して操作信号を受信し且つその内容に応じて動作が制御される操作対象装置とを有するシステムにおける操作履歴取得方法であって、
遠隔操作装置及び操作対象装置は各々、識別子を有し、
システムは、遠隔操作装置及び操作対象装置からネットワークを介して接続される履歴蓄積装置を更に有し、
遠隔操作装置が、送信した操作信号に基づく操作内容及び送信時刻を、操作送信ログとして記録するステップと、
操作対象装置が、受信した操作信号に基づく操作内容及び受信時刻を、操作受信ログとして記録するステップと、
遠隔操作装置が、当該遠隔操作装置の識別子を対応付けた操作送信ログを、履歴蓄積装置へ送信するステップと、
操作対象装置が、当該操作対象装置の識別子を対応付けた操作受信ログを、履歴蓄積装置へ送信するステップと、
履歴蓄積装置は、操作送信ログと操作受信ログとを比較して対応付けることによって、その操作対象装置に対するその操作信号が、いずれの遠隔操作装置から送信されたかを特定するステップと
を有することを特徴とする。
【００１６】
本発明の操作履歴取得方法における他の実施形態によれば、無線リンクは、指向性のある赤外線通信リンクであることも好ましい。
【００１７】
本発明の操作履歴取得方法における他の実施形態によれば、
ネットワークは、インターネットであり、
履歴蓄積装置は、インターネットに接続された履歴サーバであり、
操作対象装置は、テレビ装置であって、インターネットに接続するインタフェースポートを備えており、
遠隔操作装置は、携帯電話機であって、インターネットに携帯電話網を介して接続することができ、
携帯電話機は、赤外線通信リンク用の赤外線発光部を有することも好ましい。
【００１８】
本発明の操作履歴取得方法における他の実施形態によれば、
ネットワークは、ホームネットワークであり、
履歴蓄積装置は、ホームネットワークに接続されたセットトップボックス若しくはルータ、又は、操作対象装置に組み込まれており、
操作対象装置は、テレビ装置であって、ホームネットワークに接続するインタフェースポートを備えており、
遠隔操作装置は、携帯電話機であって、ホームネットワークに無線を介して接続することができ、
携帯電話機は、赤外線通信リンク用の赤外線発光部を有することも好ましい。
【００１９】
本発明の操作履歴取得方法における他の実施形態によれば、履歴蓄積装置は、
操作内容が同一であって、且つ、送信時刻と受信時刻とが所定時間範囲となる操作送信ログ及び操作受信ログを検索し、
検索された操作送信ログ及び操作受信ログについて、編集距離（レーベンシュタイン距離）が最も小さい組み合わせを導出することも好ましい。
【００２０】
本発明によれば、無線リンクを介して操作信号を送信する遠隔操作装置と、無線リンクを介して操作信号を受信し且つその内容に応じて動作が制御される操作対象装置とを有する操作履歴取得システムであって、
遠隔操作装置及び操作対象装置は各々、識別子を有し、
システムは、遠隔操作装置及び操作対象装置からネットワークを介して接続される履歴蓄積装置を更に有し、
遠隔操作装置は、
無線リンクを確立する無線通信手段と、
送信した操作信号に基づく操作内容及び送信時刻を、操作送信ログとして記録する操作送信ログ記録手段と、
当該遠隔操作装置の識別子を対応付けた操作送信ログを、履歴蓄積装置へ送信する操作送信ログ送信手段と
を有し、
操作対象装置は、
無線リンクを確立する無線通信手段と、
受信した操作信号に基づく操作内容及び受信時刻を、操作受信ログとして記録する操作受信ログ記録手段と、
当該操作対象装置の識別子を対応付けた操作受信ログを、履歴蓄積装置へ送信する操作受信ログ送信手段と
を有し、
履歴蓄積装置は、
操作送信ログと操作受信ログとを比較して対応付けることによって、その操作対象装置に対するその操作信号が、いずれの遠隔操作装置から送信されたかを特定する操作履歴取得手段を
を有することを特徴とする。
【００２１】
本発明の操作履歴取得システムにおける他の実施形態によれば、遠隔操作装置の無線通信手段と、操作対象装置の無線通信手段とは、指向性のある赤外線通信手段であることも好ましい。
【００２２】
本発明の操作履歴取得システムにおける他の実施形態によれば、
ネットワークは、インターネットであり、
履歴蓄積装置は、インターネットに接続された履歴サーバであり、
操作対象装置は、テレビ装置であって、インターネットに接続するインタフェースポートを備えており、
遠隔操作装置は、携帯電話機であって、インターネットに携帯電話網を介して接続することができ、
携帯電話機は、赤外線通信リンク用の赤外線発光部を有することも好ましい。
【００２３】
本発明の操作履歴取得システムにおける他の実施形態によれば、
ネットワークは、ホームネットワークであり、
履歴蓄積装置は、ホームネットワークに接続されたセットトップボックス若しくはルータ、又は、操作対象装置に組み込まれており、
操作対象装置は、テレビ装置であって、ホームネットワークに接続するインタフェースポートを備えており、
遠隔操作装置は、携帯電話機であって、ホームネットワークに無線を介して接続することができ、
携帯電話機は、赤外線通信リンク用の赤外線発光部を有することも好ましい。
【００２４】
本発明の操作履歴取得システムにおける他の実施形態によれば、
履歴蓄積装置の操作履歴取得手段は、
操作内容が同一であって、且つ、送信時刻と受信時刻とが所定時間範囲となる操作送信ログ及び操作受信ログを検索するログ絞り込み手段と、
検索された操作送信ログ及び操作受信ログについて、編集距離（レーベンシュタイン距離）が最も小さい組み合わせを導出するマッチング手段と
を有することも好ましい。
【発明の効果】
【００２５】
本発明の方法及びシステムによれば、操作送信ログと操作受信ログとをマッチングさせることによって、既存の赤外線通信自体の機能を拡張することなく、操作対象装置を操作した遠隔操作装置と、その具体的な操作内容とを特定することができる。
【図面の簡単な説明】
【００２６】
【図１】従来技術におけるシステム構成図である。
【図２】本発明における第１のシステム構成図である。
【図３】本発明における第２のシステム構成図である。
【図４】遠隔操作装置から送信された操作信号と、操作対象装置によって受信された操作信号とを表す説明図である。
【図５】図４に対応したログの対応付けを表す説明図である。
【図６】本発明における各装置の機能構成図である。
【発明を実施するための形態】
【００２７】
以下、本発明の実施の形態について、図面を用いて詳細に説明する。
【００２８】
図２は、本発明における第１のシステム構成図である。
【００２９】
図２によれば、遠隔操作装置として携帯電話機が表され、操作対象装置としてテレビ装置及び照明装置が表されている。尚、以下では、遠隔操作装置は、代表的な携帯電話機として説明するが、勿論、ＰＤＡ(Personal Digital Assistant)又は端末であってもよい。また、操作対象装置も、代表的なテレビ装置として説明するが、照明装置や電化機器であってもよい。
【００３０】
図２のシステムによれば、図１と同様に、携帯電話機１は、赤外線通信リンク（無線リンク）を介して操作信号を送信し、テレビ装置（又は照明装置）２を操作している。赤外線通信リンクは指向性があるので、その携帯電話機１の赤外線発光部を、テレビ装置２へ向けることによって、赤外線操作信号が受信される。
【００３１】
一般的な携帯電話機は、赤外線通信規格ＩｒＤＡ(Infrared Data Association)準拠の赤外線発光部を有する。ＩｒＤＡの仕様は、一般のリモコン装置で使われている赤外線通信の仕様とは異なる。携帯電話機は、リモコン用アプリケーションを起動し、ＩｒＤＡ準拠の赤外線発光部に対してリモコン用の操作信号をエミュレートすることによって、リモコン装置として機能する。
【００３２】
携帯電話機Ａは、テレビ装置ａへ、例えばチャネル切り替え（又は電源オン／オフ）の赤外線操作信号を送信している。このとき、携帯電話機Ａは、送信した赤外線操作信号における「送信時刻及び操作内容」を「操作送信ログ」として記録する。一方で、テレビ装置ａは、受信した赤外線操作信号における「受信時刻及び操作内容」を「操作受信ログ」として記録する。
【００３３】
このように、遠隔操作装置（図２の携帯電話機Ａ、Ｂ及びＣ）は、送信した赤外線操作信号における「送信時刻及び操作内容」を「操作送信ログ」として記憶する。同様に、操作対象装置（図２のテレビ装置ａ及びｂ並びに照明装置）は、受信した赤外線操作信号における「受信時刻及び操作内容」を「操作受信ログ」として記録する。
【００３４】
尚、遠隔操作装置及び操作対象装置はそれぞれ、識別子を有する。識別子は、装置固有の装置識別子である。
【００３５】
図２によれば、遠隔操作装置としての携帯電話機１は、携帯電話網を介してインターネットに接続することができる。また、操作対象装置としてのテレビ装置２は、例えばインタフェースポートを有し、ルータ及びアクセスネットワークを介してインターネットに接続することができる。インタフェースポートは、例えばイーサネット（登録商標）ポートである。操作対象装置は、ホームネットワークに有線で接続され、ルータ又はセットトップボックスを介して、アクセスネットワーク及びインターネットに接続する。
【００３６】
また、図２によれば、サーバとしての履歴蓄積装置３が、インターネットに接続されている。携帯電話機１は、その装置識別子を対応付けた「操作送信ログ」を、履歴蓄積装置３へ送信する。また、テレビ装置２は、その装置識別子を対応付けた「操作受信ログ」を、履歴蓄積装置３へ送信する。ログの送信タイミングは、利用用途に応じて設定される。リアルタイム性を必要としない場合、ログは、例えば１日に１回送信される。逆に、リアルタイム性を必要とする場合、ログは、赤外線操作信号を送受信するとほぼ同時に送信される。
【００３７】
履歴蓄積装置３は、操作送信ログと操作受信ログとを比較して対応付けることによって、その操作対象装置に対するその操作信号が、いずれの遠隔操作装置から送信されたかを特定する。尚、履歴蓄積装置３は、ログをマッチングすべき装置識別子のグループを事前に登録していることも好ましい。例えば、１ユーザ宅内で操作される複数の装置識別子を登録する。これにより、１ユーザ宅内で、マッチングすべきログを特定することができる。
【００３８】
また、履歴蓄積装置３は、携帯電話機１及びテレビ装置２から、その起動時及び定期的に、アライブ信号を受信する。定期的に受信されるべきアライブ信号が受信されない場合、その装置は停止中であると認識できる。これによって、履歴蓄積装置３は、起動中の携帯電話機１及びテレビ装置２を知ることができる。
【００３９】
図３は、本発明における第２のシステム構成図である。
【００４０】
図３は、図２と比較して、履歴蓄積装置３の機能が、ホームネットワークに接続されるセットトップボックス（又はルータ）５に内蔵されている点について相違する。図３のセットトップボックスは、ハードディスクのような記憶部と、ログのマッチング処理のためのプロセッサとを有する。勿論、履歴蓄積機能が、操作対象装置自体（例えばテレビ装置自体）に内蔵されているものであってもよい。
【００４１】
遠隔操作装置としての携帯電話機１と、セットトップボックス５とは、近距離無線リンクを介して接続されるものであってもよい。近距離無線リンクは、Bluetoothであってもよいし、例えばＷｉ−Ｆｉ(Wireless Fidelity)のような無線ＬＡＮ(Local Area Network)であってもよい。また、セットトップボックス５が、フェムトセル用のアクセスポイントであり、携帯電話機１が、携帯電話用の無線リンクでセットトップボックス５に接続するものであってもよい。
【００４２】
携帯電話機１は、操作送信ログをセットトップボックス５へ送信する。また、テレビ装置２も、操作受信ログをセットトップボックス５へ送信する。セットトップボックス５は、操作送信ログと操作受信ログとを比較して対応付ける。これにより、その操作対象装置に対するその操作信号が、いずれの遠隔操作装置から送信されたかが特定される。
【００４３】
図４は、遠隔操作装置から送信された操作信号と、操作対象装置によって受信された操作信号とを表す説明図である。
【００４４】
図４によれば、各携帯電話機１が、テレビ装置２へ赤外線操作信号を送信している。尚、各携帯電話機及びテレビ装置に搭載されるタイマの時刻は、ほぼ一致しており、誤差は十分に小さいとする。例えば携帯電話機は、ＧＰＳ(Global Positioning System)又は共通サーバと時刻を同期させることができ、例えばテレビ装置２は、地上波デジタル放送波によって時刻を同期させることができる。
【００４５】
（Ｓ４０１）携帯電話機Ｂは、テレビ装置へ、赤外線操作信号［操作内容Ｏ１］を送信している。このとき、携帯電話機Ｂは、操作送信ログ「送信時刻ＴＢ１及び操作内容Ｏ１」を記録する。しかしながら、この赤外線操作信号は、テレビ装置に受信されなかった。そこで、携帯電話機Ｂは、再度、テレビ装置へ、赤外線操作信号［操作内容Ｏ１］を送信している。このとき、携帯電話機Ｂは、操作送信ログ「送信時刻ＴＢ２及び操作内容Ｏ１」を記録する。テレビ装置は、この赤外線操作信号を受信した際に、操作受信ログ「受信時刻Ｔａ１及び操作内容Ｏ１」を記録する。
【００４６】
（Ｓ４０２）携帯電話機Ａは、テレビ装置へ、赤外線操作信号［操作内容Ｏ２］を送信している。このとき、携帯電話機Ａは、操作送信ログ［送信時刻ＴＡ１及び操作内容Ｏ２］を記録する。テレビ装置は、この赤外線操作信号を受信した際に、操作受信ログ［受信時刻Ｔａ２及び操作内容Ｏ２］を記録する。
【００４７】
（Ｓ４０３）携帯電話機Ａは、テレビ装置へ、赤外線操作信号［操作内容Ｏ３］を送信している。このとき、携帯電話機Ａは、操作送信ログ［送信時刻ＴＡ２及び操作内容Ｏ３］を記録する。テレビ装置は、この赤外線操作信号を受信した際に、操作受信ログ［受信時刻Ｔａ３及び操作内容Ｏ３］を記録する。
【００４８】
（Ｓ４０４）携帯電話機Ｃは、テレビ装置へ、赤外線操作信号［操作内容Ｏ４］を送信している。このとき、携帯電話機Ｃは、操作送信ログ［送信時刻ＴＣ１及び操作内容Ｏ４］を記録する。テレビ装置は、この赤外線操作信号を受信した際に、操作受信ログ［受信時刻Ｔａ４及び操作内容Ｏ４］を記録する。その後、再び、携帯電話機Ｃは、テレビ装置へ、赤外線操作信号［操作内容Ｏ４］を送信している。操作内容Ｏ４が、例えば「チャネル番号２ｃｈの設定」である場合、２回目の操作内容は、ログとして何ら意味を持たない。この場合、携帯電話機Ｃは、先に記録した操作送信ログ［送信時刻ＴＣ１及び操作内容Ｏ４］に圧縮し、２回目の操作内容を記録しない。同様に、テレビ装置も、先に記録した操作送信ログ［送信時刻Ｔａ４及び操作内容Ｏ４］に圧縮し、２回目の操作内容を記録しない。
【００４９】
また、例えば操作内容Ｏ「キー：音量↑」が、短時間で複数回（例えば５回）押下された場合、１つのログとして圧縮して記録することも好ましい。
ログ［ＩＤ(識別子)、Ｔ(時刻)、Ｏ(操作[キー:音量↑]、５回)］
【００５０】
このように、操作送信ログ及び操作受信ログを圧縮する（データサイズを小さくする）ことによって、通信量を小さくすることができる。リモコン操作では、短時間で、同じキーが連続的押下される場合も多いからである。
【００５１】
（Ｓ４０５）テレビ装置は、いずれかの携帯電話機から、赤外線操作信号［操作内容Ｏ５］を受信している。このとき、テレビ装置は、操作受信ログ［受信時刻Ｔａ６及び操作内容Ｏ５］を記録する。
【００５２】
（Ｓ４０６）携帯電話機Ａは、テレビ装置へ、赤外線操作信号［操作内容Ｏ６］を送信している。このとき、携帯電話機Ａは、操作送信ログ［送信時刻ＴＡ３及び操作内容Ｏ６］を記録する。テレビ装置は、その赤外線操作信号を受信した際に、操作受信ログ［受信時刻Ｔａ７及び操作内容Ｏ６］を記録する。
【００５３】
（Ｓ４０７）携帯電話機Ａは、テレビ装置へ、赤外線操作信号［操作内容Ｏ７］を送信している。このとき、携帯電話機Ａは、操作送信ログ［送信時刻ＴＡ４及び操作内容Ｏ７］記録する。しかしながら、この赤外線操作信号は、テレビ装置に受信されなかった。
【００５４】
図５は、図４に対応したログの対応付けを表す説明図である。
【００５５】
図５によれば、遠隔操作装置が送信した全ての操作信号と、操作対象装置が受信した全ての操作信号とをマッチングする。このマッチングには、編集距離（レーベンシュタイン距離）が用いられる。編集距離は、要素の挿入、削除又は置換によって、１つの要素を別の要素に変形するのに必要な手順の最小回数として表される。本発明によれば、操作信号の置換はあり得ないために、挿入及び削除の回数となる。即ち、２つの要素について編集距離が最小となるように、要素の挿入及び削除によって、２つの要素をマッチングする。
【００５６】
（Ｓ５０１）例えば「チャネル番号２ｃｈの設定」のような操作内容Ｏ１が、携帯電話機Ｂから２度送信されている場合、２つの操作内容のログは何ら意味を持たないために、１つの操作内容を削除する。そして、送信時刻と受信時刻との差が一定時間範囲となるテレビ装置の操作受信ログ［操作内容Ｏ１］と、携帯電話機Ｂの操作送信ログ［操作内容Ｏ１］とをマッチングする。これによって、テレビ装置から見て、操作内容Ｏ１は、装置識別子ＩＤＢの遠隔操作装置からの操作であると特定することができる。
（Ｓ５０２）テレビ装置の操作受信ログ［操作内容Ｏ２］と、携帯電話機Ａの操作送信ログ［操作内容Ｏ２］とがマッチングされる。
（Ｓ５０３）テレビ装置の操作受信ログ［操作内容Ｏ３］と、携帯電話機Ａの操作送信ログ［操作内容Ｏ３］とがマッチングされる。
（Ｓ５０４）例えば「チャネル番号２ｃｈの設定」のような操作内容Ｏ１が２度送信されている場合、２つの操作内容のログは何ら意味を持たないために、１つの操作内容を削除する。そして、テレビ装置の操作受信ログ［操作内容Ｏ３］と、携帯電話機Ｃの操作送信ログ［操作内容Ｏ４］とがマッチングされる。
（Ｓ５０５）テレビ装置の操作受信ログ［操作内容Ｏ５］が挿入される。
（Ｓ５０６）テレビ装置の操作受信ログ［操作内容Ｏ６］と、携帯電話機Ａの操作送信ログ［操作内容Ｏ６］とがマッチングされる。
（Ｓ５０７）携帯電話機Ａの操作送信ログ［操作内容Ｏ７］は、テレビ装置に受信されていないので、その操作内容を削除する。
【００５７】
図５によれば、編集距離４で最も小さいマッチングとなる。これによって、消失した操作内容と、挿入された操作内容とを導出することができる。
【００５８】
図６は、本発明における各装置の機能構成図である。
【００５９】
遠隔操作装置１は、入力インタフェース部１００と、赤外線発光部１０１と、通信インタフェース部１０２とを有する。また、遠隔操作装置１は、操作信号送信部１１１と、操作送信ログ記録部１１２と、操作送信ログ送信部１１３と、識別子記憶部１１４とを有する。操作信号送信部１１１、操作送信ログ記録部１１２、操作送信ログ送信部１１３及び識別子記憶部１１４は、遠隔操作装置に搭載されたコンピュータを機能させるプログラムを実行することによって実現される。
【００６０】
入力インタフェース部１００は、操作対象装置２に対する操作内容をユーザが入力すべきキーボードや、ユーザが操作可能な内容を表示すべきディスプレイである。ユーザによって操作された操作内容は、操作信号送信部１１１へ出力される。
【００６１】
操作信号送信部１１１は、入力インタフェース部１００から操作内容を入力し、その操作内容を、操作信号として赤外線発光部１０１へ出力する。具体的には、携帯電話機で、リモコン用アプリケーションを起動することによって、ＩｒＤＡ準拠の赤外線発光部１０１に対してリモコン用の操作信号をエミュレートする。
【００６２】
赤外線発光部１０１は、操作信号送信部１１１から出力された操作信号を、指向性のある赤外線によって、操作対象装置２へ送信する。赤外線発光部１０１は、例えばＩｒＤＡ準拠のものである。
【００６３】
通信インタフェース部１０２は、履歴蓄積装置３に接続するインタフェースである。履歴蓄積装置３がインターネットに接続されるサーバである場合、通信インタフェース部１０２は、携帯電話網用のインタフェースであってもよい。また、履歴蓄積装置３がホームネットワークに接続されるセットトップボックスである場合、通信インタフェース部１０２は、Bluetooth、無線ＬＡＮ又はフェムトセル用のインタフェースであってもよい。
【００６４】
尚、通信インタフェース部１０２は、操作送信ログを、ショートメッセージ（例えばＣメール）又は電子メールによって送信するものであってもよい。
【００６５】
操作送信ログ記録部１１２は、送信した操作信号に基づく操作内容及び送信時刻を、操作送信ログとして記録する。
【００６６】
操作送信ログ送信部１１３は、当該遠隔操作装置の識別子を対応付けた操作送信ログを、履歴蓄積装置３へ送信する。
【００６７】
識別子記憶部１１４は、装置識別子を記憶し、この装置識別子を操作送信ログ送信部１１３へ出力する。装置識別子は、例えば携帯電話機における電話番号又はＳＩＭカードの識別番号であってもよい。
【００６８】
図６によれば、操作対象装置２は、赤外線受光部２０１と、通信インタフェース部２０２と、操作信号受信部２１１と、操作受信ログ記録部２１２と、操作受信ログ送信部２１３と、識別子記憶部２１４と、制御部２１５とを有する。赤外線受光部２０１及び通信インタフェース部２０２以外の機能構成部は、操作対象装置に搭載されたコンピュータを機能させるプログラムを実行することによって実現される。
【００６９】
赤外線受光部２０１は、赤外線通信リンクを介して、携帯電話機から操作信号を受信し、その操作信号を操作信号受信部２１１へ出力する。赤外線受光部２０１は、既存のテレビ装置等に搭載された、リモコン装置から赤外線を受光するものである。
【００７０】
操作信号受信部２１１は、その操作信号を制御部２１５へ出力する。操作信号受信部２１１は、既存のテレビ装置等に搭載された、リモコン装置からの操作信号に基づく操作内容を認識するものである。
【００７１】
操作受信ログ記録部２１２は、受信した操作信号に基づく操作内容及び受信時刻を、操作受信ログとして記録する。
【００７２】
操作受信ログ送信部２１３は、当該操作対象装置の装置識別子を対応付けた操作受信ログを、通信インタフェース部２０２を介して履歴蓄積装置へ送信する。
【００７３】
識別子記憶部２１４は、装置識別子を記憶し、この装置識別子を操作受信ログ送信部２１３へ出力する。
【００７４】
制御部２１５は、操作信号受信部２１１から通知された操作内容（例えばテレビ装置のチャネル切り替え）に応じて、操作対象装置２自体の動作を制御する。
【００７５】
図６によれば、履歴蓄積装置３は、通信インタフェース部３０１と、操作送信ログ蓄積部３０２と、操作受信ログ蓄積部３０３と、ログ絞込部３１１と、マッチング部３１２と、操作ログ蓄積部３１３と、操作履歴提供部３１４とを有する。通信インタフェース部３０１以外の機能構成部は、履歴蓄積装置に搭載されたコンピュータを機能させるプログラムを実行することによって実現される。
【００７６】
通信インタフェース部３０１は、遠隔操作装置１及び操作対象装置２から接続されるインタフェースである。通信インタフェース部３０１は、ＩＰネットワークであるインターネットに接続する。
【００７７】
操作送信ログ蓄積部３０２は、遠隔操作装置１から受信した操作送信ログを蓄積する。蓄積された操作送信ログは、ログ絞込部３１１へ出力される。
【００７８】
操作受信ログ蓄積部３０３は、操作対象装置２から受信した操作受信ログを蓄積する。蓄積された操作受信ログは、ログ絞込部３１１へ出力される。
【００７９】
ログ絞込部３１１は、操作内容が同一であって、且つ、送信時刻と受信時刻とが所定時間範囲となる操作送信ログ及び操作受信ログを検索する。所定時間範囲は、例えば１０秒程度であってもよい。これによって、マッチング対象となるログを絞り込むことができる。検索された操作送信ログ及び操作受信ログは、マッチング部３１２へ出力される。
【００８０】
マッチング部３１２は、操作送信ログ及び操作受信ログについて、編集距離（レーベンシュタイン距離）が最も小さい組み合わせを導出する。これによって、操作送信ログ及び操作受信ログが、１対１にマッチングされる。そのマッチングログは、操作ログ蓄積部３１３へ出力される。
【００８１】
操作ログ蓄積部３１３は、マッチングログを蓄積する。
【００８２】
操作履歴提供部３１４は、他の装置からの要求に応じて、操作ログ蓄積部３１３に蓄積されたマッチングログを送信する。
【００８３】
以上、詳細に説明したように、本発明の方法及びシステムによれば、操作送信ログと操作受信ログとをマッチングさせることによって、既存の赤外線通信自体の機能を拡張することなく、操作対象装置を操作した遠隔操作装置と、その具体的な操作内容とを特定することができる。このような視聴履歴は、ユーザに、コンテンツや番組を推薦させるレコメンド機能に用いられる。
【００８４】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８５】
１  遠隔操作装置、携帯電話機
１００  入力インタフェース部
１０１  赤外線発光部
１０２  通信インタフェース部
１１１  操作信号送信部
１１２  操作送信ログ記録部
１１３  操作送信ログ送信部
１１４  識別子記憶部
２  操作対象装置、テレビ装置、照明装置
２０１  赤外線受光部
２０２  通信インタフェース部
２１１  操作信号受信部
２１２  操作受信ログ記録部
２１３  操作受信ログ送信部
２１４  識別子記憶部
２１５  制御部
３  履歴蓄積装置
３０１  通信インタフェース部
３０２  操作送信ログ蓄積部
３０３  操作受信ログ蓄積部
３１１  ログ絞込部
３１２  マッチング部
３１３  操作ログ蓄積部
３１４  操作履歴提供部
４  ルータ
５  セットトップボックス
【図１】
2011061693.tif 000003
【図２】
2011061693.tif 000004
【図３】
2011061693.tif 000005
【図４】
2011061693.tif 000006
【図５】
2011061693.tif 000007
【図６】
2011061693.tif 000008